(57)【要約】  電子装置及びその電源制御方法が提供される。本発明の一実施形態に係る電子装置は、遠隔制御装置と通信する無線通信部と、外部入力装置と接続される有線通信部と、遠隔制御装置から電子装置の電源をオフする信号が受信されると、接続された外部入力装置の電源をオフするようにする制御信号を遠隔制御装置に伝送するように無線通信部を制御するプロセッサとを含む。
2019536370.tif 000002
【特許請求の範囲】
【請求項１】
電子装置において、
遠隔制御装置と通信する無線通信部と、
外部入力装置と接続される有線通信部と、
前記遠隔制御装置から前記電子装置の電源をオフする信号が受信されると、前記接続された外部入力装置の電源をオフするようにする制御信号を前記遠隔制御装置に伝送するように前記無線通信部を制御するプロセッサと
を含む電子装置。
【請求項２】
前記プロセッサは、
前記遠隔制御装置から前記電子装置の電源をオフする信号が受信されると、前記外部入力装置の電源状態を確認し、前記確認された前記外部入力装置の電源状態が前記電子装置の電源状態と一致しない場合に、前記制御信号を前記遠隔制御装置に伝送するように前記無線通信部を制御することを特徴とする請求項１に記載の電子装置。
【請求項３】
前記プロセッサは、
前記制御信号を前記遠隔制御装置に伝送した後、前記外部入力装置の電源状態を確認し、前記確認された前記外部入力装置の電源状態が前記電子装置の電源状態と一致するまで、前記制御信号を再伝送するように前記無線通信部を制御することを特徴とする請求項１に記載の電子装置。
【請求項４】
前記外部入力装置と接続された有線通信部を介して入力される信号のクロック信号を検出する検出回路を更に含み、
前記プロセッサは、
前記検出回路から検出されたクロック信号を用いて前記外部入力装置の電源状態を確認することを特徴とする請求項２に記載の電子装置。
【請求項５】
前記有線通信部は、ＨＤＭＩ（登録商標）インターフェースであり、
前記クロック信号は、ＨＤＭＩ信号のクロック信号であることを特徴とする請求項４に記載の電子装置。
【請求項６】
前記プロセッサは、
前記制御信号とともに前記接続された外部入力装置に関する情報を前記遠隔制御装置に伝送するように前記通信部を制御することを特徴とする請求項１に記載の電子装置。
【請求項７】
前記外部入力装置に関する情報は、
前記外部入力装置の機器情報及び前記外部入力装置から入力されるソース情報のうち少なくとも一方を含むことを特徴とする請求項６に記載の電子装置。
【請求項８】
前記無線通信部は、
前記遠隔制御装置から信号を受信する際は、単方向通信方式を用い、前記遠隔制御装置に信号を送信する際は、双方向通信方式を用いることを特徴とする請求項１に記載の電子装置。
【請求項９】
前記単方向通信方式は、ＩＲ方式であってよく、前記双方向通信方式は、Ｂｌｕｅｔｏｏｔｈ、Ｂｌｕｅｔｏｏｔｈ  Ｌｏｗ  Ｅｎｅｒｇｙのうち、少なくとも一方の方式であることを特徴とする請求項８に記載の電子装置。
【請求項１０】
電子装置の電源制御方法において、
遠隔制御装置から前記電子装置の電源をオフする信号が受信されるステップと、
前記電子装置と接続された外部入力装置の電源をオフするようにする制御信号を前記遠隔制御装置に伝送するステップと
を含む電源制御方法。
【請求項１１】
前記受信された前記電子装置の電源をオフする信号に対応し、前記外部入力装置の電源状態を確認するステップを更に含み、
前記伝送するステップは、
前記確認された前記外部入力装置の電源状態が前記電子装置の電源状態と一致しない場合に、前記制御信号を前記遠隔制御装置に伝送することを特徴とする請求項１０に記載の電源制御方法。
【請求項１２】
前記制御信号を前記遠隔制御装置に伝送した後、前記外部入力装置の電源状態を確認するステップと、
前記確認された前記外部入力装置の電源状態が前記電子装置の電源状態と一致するまで、前記制御信号を再伝送するステップと
を更に含むことを特徴とする請求項１０に記載の電源制御方法。
【請求項１３】
前記外部入力装置から入力される信号のクロック信号を検出するステップを更に含み、
前記外部入力装置の電源状態を確認するステップは、
前記検出されたクロック信号を用いて、前記外部入力装置の電源状態を確認することを特徴とする請求項１１に記載の電源制御方法。
【請求項１４】
前記外部入力装置と前記電子装置とは、ＨＤＭＩインターフェースで接続され、
前記外部入力装置から入力される信号のクロック信号は、ＨＤＭＩ信号のクロック信号であることを特徴とする請求項１３に記載の電源制御方法。
【請求項１５】
前記制御信号とともに前記接続された外部入力装置に関する情報を前記遠隔制御装置に伝送するステップを更に含むことを特徴とする請求項１０に記載の電源制御方法。
【発明の詳細な説明】
【技術分野】
【０００１】
本発明は、電子装置及びその電源制御方法に関し、より詳細には、電源状態モニタリングを通じて外部装置と電子装置の電源状態を一致させることができる電子装置及びその電源制御方法に関する。
【背景技術】
【０００２】
近来、電子装置は、多様な種類の外部入力装置と接続され、それらから映像データなどを受信することができる。このように、複数の装置が使用されることにより、複数の装置に対する統合制御の必要性が増している。
【０００３】
例えば、従来は、ＨＤＭＩ（登録商標）−ＣＥＣのような機能を用いて統合電源制御、ソース切替ができるようにした。しかし、ＨＤＭＩ−ＣＥＣ機能の適用が必須的ではなく、ＨＤＭＩ−ＣＥＣ機能の適用された製品の場合にも、基本設定で使用するか否かを製造元が選択することができる。
【０００４】
このような原因により、電子装置の電源をオフする場合、接続された外部入力装置の電源もオフになるように制御するうえで問題が発生していた。なお、ＨＤＭＩ−ＣＥＣ機能による統合電源制御が誤作動する場合に対する解決策がないという問題も発生している。
【発明の概要】
【発明が解決しようとする課題】
【０００５】
そこで、本発明は、上記問題に鑑みてなされたものであり、本発明の目的とするところは、接続された外部入力装置の電源状態をモニタリングし、統合リモコンをバイパスとして用いて、電子装置の電源状態と外部入力装置の電源状態とを一致させることができる電子装置及びその電源制御方法を提供することにある。
【０００６】
多様な実施形態によると、統合電源制御器機能の信頼性を確保することができる。
【課題を解決するための手段】
【０００７】
上記目的を達成するための本発明の一実施形態に係る電子装置は、遠隔制御装置と通信する無線通信部と、外部入力装置と接続される有線通信部と、前記遠隔制御装置から前記電子装置の電源をオフする信号が受信されると、前記接続された外部入力装置の電源をオフするようにする制御信号を前記遠隔制御装置に伝送するように前記無線通信部を制御するプロセッサとを含む。
【０００８】
そして、前記プロセッサは、前記遠隔制御装置から前記電子装置の電源をオフする信号が受信されると、前記外部入力装置の電源状態を確認し、前記確認された前記外部入力装置の電源状態が前記電子装置の電源状態と一致しない場合に、前記制御信号を前記遠隔制御装置に伝送するように前記無線通信部を制御してよい。
【０００９】
なお、前記プロセッサは、前記制御信号を前記遠隔制御装置に伝送した後、前記外部入力装置の電源状態を確認し、前記確認された前記外部入力装置の電源状態が前記電子装置の電源状態と一致するまで、前記制御信号を再伝送するように前記無線通信部を制御してよい。
【００１０】
そして、前記外部入力装置と接続された有線通信部を介して入力される信号のクロック信号を検出する検出回路を更に含み、前記プロセッサは、前記検出回路から検出されたクロック信号を用いて前記外部入力装置の電源状態を確認してよい。
【００１１】
なお、前記有線通信部は、ＨＤＭＩ（登録商標）インターフェースであり、前記クロック信号は、ＨＤＭＩ信号のクロック信号であってよい。
【００１２】
そして、前記プロセッサは、前記制御信号とともに前記接続された外部入力装置に関する情報を前記遠隔制御装置に伝送するように前記通信部を制御してよい。
【００１３】
なお、前記外部入力装置に関する情報は、前記外部入力装置の機器情報及び前記外部入力装置から入力されるソース情報のうち少なくとも一方を含んでよい。
【００１４】
そして、前記無線通信部は、前記遠隔制御装置から信号を受信する際は、単方向通信方式を用い、前記遠隔制御装置に信号を送信する際は、双方向通信方式を用いてよい。
【００１５】
なお、前記単方向通信方式は、ＩＲ方式であってよく、前記双方向通信方式は、Ｂｌｕｅｔｏｏｔｈ、Ｂｌｕｅｔｏｏｔｈ  Ｌｏｗ  Ｅｎｅｒｇｙのうち、少なくとも一方の方式であってよい。
【００１６】
一方、上記目的を達成するための本発明の一実施形態に係る電子装置の電源制御方法は、遠隔制御装置から前記電子装置の電源をオフする信号が受信されるステップと、前記電子装置と接続された外部入力装置の電源をオフするようにする制御信号を前記遠隔制御装置に伝送するステップとを含む。
【００１７】
そして、前記受信された前記電子装置の電源をオフする信号に対応し、前記外部入力装置の電源状態を確認するステップを更に含み、前記伝送するステップは、前記確認された前記外部入力装置の電源状態が前記電子装置の電源状態と一致しない場合に、前記制御信号を前記遠隔制御装置に伝送してよい。
【００１８】
なお、前記制御信号を前記遠隔制御装置に伝送した後、前記外部入力装置の電源状態を確認するステップと、前記確認された前記外部入力装置の電源状態が前記電子装置の電源状態と一致するまで、前記制御信号を再伝送するステップとを更に含んでよい。
【００１９】
そして、前記外部入力装置から入力される信号のクロック信号を検出するステップを更に含み、前記外部入力装置の電源状態を確認するステップは、前記検出されたクロック信号を用いて、前記外部入力装置の電源状態を確認してよい。
【００２０】
なお、前記外部入力装置と前記電子装置とは、ＨＤＭＩインターフェースで接続され、前記外部入力装置から入力される信号のクロック信号は、ＨＤＭＩ信号のクロック信号であってよい。
【００２１】
そして、前記制御信号とともに前記接続された外部入力装置に関する情報を前記遠隔制御装置に伝送するステップを更に含んでよい。
【００２２】
なお、前記外部入力装置に関する情報は、前記外部入力装置の機器情報及び前記外部入力装置から入力されるソース情報のうち少なくとも一方を含んでよい。
【００２３】
そして、前記電子装置は、前記遠隔制御装置から信号を受信する際は、単方向通信方式を用い、前記遠隔制御装置に信号を送信する際は、双方向通信方式を用いてよい。
【００２４】
なお、前記単方向通信方式は、ＩＲ方式であってよく、前記双方向通信方式は、Ｂｌｕｅｔｏｏｔｈ、Ｂｌｕｅｔｏｏｔｈ  Ｌｏｗ  Ｅｎｅｒｇｙのうち、少なくとも一方の方式であってよい。
【発明の効果】
【００２５】
以上説明したように、本発明によれば、統合電源制御機能の信頼性を確保することができる。
【図面の簡単な説明】
【００２６】
【図１】本発明の一実施形態に係るシステムを示す概念図である。
【図２】本発明の一実施形態に係る電子装置の構成を概略に説明するためのブロック図である。
【図３】本発明の一実施形態に係る電子装置の構成を詳細に説明するためのブロック図である。
【図４】本発明の一実施形態に係る電子装置の電源制御動作を説明するための図である。
【図５】本発明の多様な実施形態に係る電子装置の電源制御方法を説明するためのフローチャートである。
【図６】本発明の多様な実施形態に係る電子装置の電源制御方法を説明するためのフローチャートである。
【図７】本発明の多様な実施形態に係る電子装置の電源制御方法を説明するためのフローチャートである。
【図８】本発明の一実施形態に係るシステムの動作を説明するためのシーケンス図である。
【発明を実施するための形態】
【００２７】
統合リモコンをバイパスとして用いて接続された外部入力装置の電源状態をモニタリングし、電子装置の電源状態を外部入力装置の電源状態と一致するように制御することができる電子装置及び電源制御方法に関する実施形態が開示される。
【００２８】
多様な実施形態によれば、統合電源制御機能の信頼性を確保することができる。
【００２９】
以下では、本発明の好適な実施形態について、添付の図面を参照して詳細に説明する。本発明を説明するうえで、関連の公知機能或いは構成に対する具体的な説明が、本発明の要旨を不要に曖昧にすると判断された場合に、その詳細な説明は省略する。そして、後述する用語は、本発明における機能を考慮して定義された用語として、それは、使用者、運用者または慣例などによって変わることがある。
【００３０】
第１、第２などのような序数を含む用語は、多様な構成要素を説明するうえで使用されてよいが、構成要素は用語によって限定されない。用語は、一つの構成要素を別の構成要素から区別する目的としてのみ使用される。例えば、本発明の権利範囲を逸脱しない範囲内で、第１構成要素は第２構成要素と名付けられてよく、それと同様に、第２構成要素も第１構成要素と名付けられてよい。及び／またはという用語は、複数の関連する項目の組み合わせまたは複数の関連する項目のうちのいずれか一つの項目を含む。
【００３１】
本明細書で使用する用語は、実施形態を説明するために使われるものとして、本発明を制限及び／または限定しようとするものではない。単数の表現は、文脈上明白にそうでないことを意味しない限り、複数の表現を含む。本明細書において、「含む」または「有する」などの用語は、明細書上に記載された特徴、数字、動作、構成要素、部品またはこれらを組み合わせたものが存在することを指定するためのものではあって、一つまたはそれ以上の別の特徴や、数字、動作、構成要素、部品またはこれらを組み合わせたものの存在または付加可能性を予め排除しないものとして理解されるべきである。
【００３２】
実施形態において、「モジュール」或いは「部」は、少なくとも一つの機能や動作を行い、ハードウェアまたはソフトウェアで実現されるか、ハードウェア及びソフトウェアの組み合わせで実現されてよい。なお、複数の「モジュール」或いは複数の「部」は、特定のハードウェアで実現される必要がある「モジュール」或いは「部」を除いては、少なくとも一つのモジュールで一体化して少なくとも一つのプロセッサで実現されてよい。
【００３３】
以下では、添付の図面を参照して、本発明について具体的に説明する。
【００３４】
図１は、本発明の一実施形態に係るシステム１０００を示す概念図である。図１に示すように、システム１０００は、電子装置１００、外部入力装置２００及び遠隔制御装置３００を含んでよい。電子装置１００は、外部入力装置２００と有線で接続されていてよい。有線接続を通じ、電子装置１００は、外部入力装置２００とデータ、制御信号などを送受信することができる。
【００３５】
電子装置１００は、図１に示すように、テレビであってよいが、それは一実施形態に過ぎない。電子装置１００は、ディスプレイ部を有するモニタ、ノートパソコン、キオスク端末、タブレット、デジタルフォトフレームなどで実現されてよく、ディスプレイ部のない映像処理装置などで実現されてよい。
【００３６】
外部入力装置２００は、外部ソースから映像信号などを受信し、電子装置１００に中継する機能をすることができる。例えば、外部入力装置２００は、セットトップボックス、ゲームデバイス、マルチメディアデバイスなどで実現されてよい。そして、外部入力装置２００は、ＨＤＭＩ（登録商標）ケーブル、コンポーネントケーブルのような有線インターフェースを通じて電子装置１００と接続されてよい。
【００３７】
遠隔制御装置３００は、基本的に電子装置１００を制御することができるが、統合リモコン機能（例えば、Ｍｕｌｔｉ  Ｂｒａｎｄ  Ｒｅｍｏｔｅ機能）で外部入力装置２００を制御することもできる。例えば、遠隔制御装置３００は、電子装置１００から外部入力装置２００を制御することができる制御コードを受信することができる。遠隔制御装置３００は、スマートリモコンで実現されるものとして示されているが、それは一実施形態に過ぎず、ポインティングデバイス、モーション認識装置、音声認識装置、マルチメディアデバイス、統合リモコン、ゲーミングコントローラ、モバイルスマートフォンなど、多様な装置で実現されてよい。
【００３８】
本明細書において、電子装置１００の電源がオフになったということは、全ての機能部に対する電源供給を中断したという意味ではない。例えば、電子装置１００は、サスペンドモードまたは省電力モードに切り替えられ、メインプロセッサ（例えば、ＣＰＵ）、ディスプレイ部のような構成に対する電源供給を中断することができる。しかし、電子装置１００は、サブプロセッサ（例えば、ＭＩＣＯＭ）、ユーザ命令入力部などに対する電源供給は保持することができる。よって、電子装置１００は、電子装置１００の電源をオフする制御信号を受信した後でも、外部入力装置２００の電源状態をモニタリングするなどの動作を行うことができる。または、電子装置１００は、外部入力装置２００の電源オフが確認された後、自分の電源状態をオフに切り替えることもできる。
【００３９】
例えば、電子装置１００は、電源オフ時に、ＳＲＰＯ（Ｓｕｓｐｅｎｄ  ｔｏ  ＲＡＭ  Ｐｏｗｅｒ  Ｏｆｆ）状態をサポートし、ＳＲＰＯ状態に移行する前に、その後のブートの際に必要なメモリウェークアップアドレス及びシステム電源オフ状態をサブプロセッサ（例えば、ＭＩＣＯＭ）に伝達して保存することができる。メモリウェークアップアドレスは、システムの以前の動作状態を記憶するメモリアドレスのうち、レジュメ後に最初に行われるべき運営体制のカーネルウェークアップベクトル値であってよい。電子装置１００は、保存された情報を用いて、その後に電源オン過程で高速ブートシーケンスを実行することができる。よって、遠隔制御装置３００から電源オン信号が受信されると、電子装置１００は保存されたメモリウェークアップアドレスを用いて、即時に映像信号を表示することもできる。
【００４０】
例えば、遠隔制御装置３００は、電子装置１００に電子装置１００及び外部入力装置２００の電源を全てオフせよとの制御信号を伝送することができる。このような場合、電子装置１００は、自分の状態をサスペンドモードに切り替えると同時に、有線インターフェースを通じて外部入力装置２００に電源オフ制御信号を伝送することができる。
【００４１】
別の例として、遠隔制御装置３００は、電子装置１００及び外部入力装置２００のそれぞれに電源をオフにせよとの制御信号を伝送することができる。
【００４２】
上述の二つの実施形態全てにおいて、電子装置１００は外部入力装置２００の電源状態を確認することができる。もし、外部入力装置２００に対するに電源オフが行われないことが確認されると、電子装置１００は、遠隔制御装置３００が電源オフ制御信号を外部入力装置２００に送信するように要請する信号を遠隔制御装置３００に伝送することができる。
【００４３】
即ち、電子装置１００と外部入力装置２００とは、遠隔制御装置３００を媒介体として使用し、電源状態を一致させることができる。ユーザは、最初に遠隔制御装置３００の電源オフボタンを押す動作のみを行ったが、遠隔制御装置３００がユーザの知らぬ間に電源状態一致動作を媒介するという点において、遠隔制御装置３００の機能を隠れた統合リモコン（例えば、Ｈｉｄｄｅｎ  Ｍａｓｔｅｒ  Ｂｏｏｔ  Ｒｅｃｏｒｄ（ＭＢＲ））機能と名付けることもできる。
【００４４】
システム１０００の動作に対する上述の説明は、本発明の一実施形態に過ぎず、それに限定されない。以下において、電子装置１００の動作に対する多様な実施形態について説明する。
【００４５】
図２は、本発明の一実施形態に係る電子装置１００の構成を概略に説明するためのブロック図である。図２を参照すると、電子装置１００は、無線通信部１１０、有線通信部１２０及びプロセッサ１３０を含んでよい。
【００４６】
無線通信部１１０は、遠隔制御装置３００と通信することができる。例えば、無線通信部１１０は、単方向通信方式で伝送された制御信号を遠隔制御装置３００から受信することができる。なお、無線通信部１１０は、双方向通信方式で制御信号を遠隔制御装置３００に送信することができる。
【００４７】
有線通信部１２０は、電子装置１００と外部入力装置２００を接続することができる。有線通信部１２０を介して外部入力装置２００から伝送される信号を分析することで、電子装置１００は外部入力装置２００の電源状態を確認することができる。
【００４８】
プロセッサ１３０は、電子装置１００の機能全般を制御する。例えば、遠隔制御装置３００から電子装置１００の電源をオフにせよとの信号が受信されると、プロセッサ１３０は、接続された外部入力装置２００の電源をオフするようにする制御信号を遠隔制御装置３００に伝送するように無線通信部１１０を制御することができる。受信された制御信号に対応し、遠隔制御装置３００は外部入力装置２００に電源をオフせよとの信号を伝送することができる。
【００４９】
プロセッサ１３０は、接続された外部入力装置２００の電源状態を確認することができる。具体的な電源状態確認方法については、以下で再度説明することにする。
【００５０】
例えば、遠隔制御装置３００から電子装置１００の電源をオフせよとの信号が受信されると、まず、プロセッサ１３０は、接続された外部入力装置２００の電源状態を確認することができる。そして、外部入力装置２００の電源状態が電子装置１００の電源状態と一致しない場合に（即ち、外部入力装置２００の電源状態がオンになると）、プロセッサ１３０は、接続された外部入力装置２００の電源をオフするようにする制御信号を遠隔制御装置３００に伝送するように無線通信部１１０を制御することができる。
【００５１】
別の例として、遠隔制御装置３００から電子装置１００の電源をオフせよとの信号が受信されると、プロセッサ１３０は、外部入力装置２００の電源状態に対する確認前に接続された外部入力装置２００の電源をオフするようにする制御信号を遠隔制御装置３００に伝送するように無線通信部１１０を制御することができる。続いて、プロセッサ１３０は、外部入力装置２００の電源状態を確認し、電子装置１００と外部入力装置２００の電源状態が一致するまで継続して制御信号を再伝送することができる。
更に別の例として、プロセッサ１３０は、規則的な時間間隔で外部入力装置２００の電源状態を確認することもできる。
【００５２】
図３は、本発明の一実施形態に係る電子装置１００の構成を詳細に説明するためのブロック図である。図３を参照すると、電子装置１００は、無線通信部１１０、有線通信部１２０、プロセッサ１３０、検出回路１４０、電源部１５０、ディスプレイ部１６０及びメモリ１７０を含んでよい。図３に示す構成要素として、電子装置１００の構成が限定されるものではなく、映像処理部（図示せず）などのような構成を含んでよく、ディスプレイ部１６０のような構成が含まれないように実現されてよい。
【００５３】
無線通信部１１０は、多様な無線通信方式によって、外部装置と通信を行うことができる。無線通信部１１０は、双方向通信方法で遠隔制御装置３００にデータ、制御信号などを送信することができる。例えば、無線通信部１１０は、遠隔制御装置３００に外部入力装置２００の電源を変更するようにする制御信号だけでなく、外部入力装置２００に関する情報を送信することができる。外部入力装置２００に関する情報は、機器情報、ソース情報のうち少なくとも一方を含んでよく、遠隔制御装置３００は、受信された機器情報やソース情報を用いて、外部入力装置２００を区分し、外部入力装置２００を制御するための制御コードセットを決定することができる。
【００５４】
無線通信部１１０は、双方向通信をサポートする多様な通信チップを含んでよい。例えば、無線通信部１１０は、Ｂｌｕｅｔｏｏｔｈ（ＢＴ）、Ｂｌｕｅｔｏｏｔｈ  Ｌｏｗ  Ｅｎｅｒｇｙ（ＢＬＥ）、ＮＦＣ（Ｎｅａｒ  Ｆｉｅｌｄ  Ｃｏｍｍｕｎｉｃａｔｉｏｎ）、及び／またはＷｉＦｉ方式で動作するチップを含んでよい。ＢＴ接続の場合に、ＳＳＩＤ及びセッションキーなどのような各種接続情報を先に遠隔制御装置３００と送受信し、接続が完了した後に制御命令を含む情報を送信することができる。
【００５５】
なお、無線通信部１１０は、単方向通信方法で遠隔制御装置３００から制御信号を受信することができる。例えば、無線通信部１１０は、ＩＲ（ＩｎｆｒａＲｅｄ）通信方式で制御信号を受信することができる。ＩＲ通信のために、電子装置１００の外側の一部にＩＲ受信部が配置されてよい。
【００５６】
有線通信部１２０は、電子装置１１０と外部入力装置２００とを接続する。有線通信部１２０は、有線通信方式でＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ＬＶＤＳ（Ｌｏｗ  Ｖｉｌｔａｇｅ  Ｄｉｆｆｅｒｅｎｔｉａｌ  Ｓｉｇｎａｌｉｎｇ）、ＬＡＮ（Ｌｏｃａｌ  Ａｒｅａ  Ｎｅｔｗｏｒｋ）などを用いることができる。
【００５７】
有線通信部１２０が非圧縮方式のデジタルビデオ／オーディオインターフェースの規格の一つであるＨＤＭＩを通じて外部入力装置２００と接続する場合には、ＨＤＭＩそのものでサポートするソースとシンクとの間の属性を交換する標準方式を利用することができるメリットがある。
【００５８】
例えば、有線通信部１２０は、ＨＤＭＩの信号ラインのうち、ＣＥＣ（Ｃｏｎｓｕｍｅｒ  Ｅｌｅｃｔｒｏｎｉｃｓ  Ｃｏｎｔｒｏｌ）ラインを用いて、制御信号を送信することができる。ＨＤＭＩ端末の１９ピンのうちの一つは、ＣＥＣのために割り当てられている。ＨＤＭＩ−ＣＥＣ機能を電子装置１００及び外部入力装置２００のいずれにも使うように設定された場合、有線通信部１２０を介して外部入力装置２００の電源をオフするようにする制御信号が外部入力装置２００に伝送されてよい。
【００５９】
別の例として、電子装置１００は、ＨＤＭＩのクロック信号を分析してＨＤＭＩを通じて接続された外部入力装置２００の電源状態をモニタリングすることができる。それについては、以下で詳細に説明する。
【００６０】
更に別の例として、電子装置１００と外部入力装置２００とがＨＤＭＩを通じてペアリングされる場合に、外部入力装置２００に関連する情報をＤｉｓｐｌａｙ  Ｉｄｅｎｔｉｆｉｃａｔｉｏｎ  Ｄａｔａ（ＥＤＩＤ）に記録し、それをＤｉｓｐｌａｙ  Ｄａｔａ  Ｃｈａｎｎｅｌ（ＤＤＣ）チャネルを通じて提供することができる。よって、有線通信部１２０は、外部入力装置２００と電子装置１００の物理的な接続状態及び外部入力装置２００の属性情報を受信することができる。
【００６１】
ＬＶＤＳは、映像装置からコンピュータモニタに映像データを伝送する信号規格として、平板パネルにおけるＦＰＤリンク（Ｆｌａｔ  Ｐａｎｅｌ  Ｄｉｓｐｌａｙ  Ｌｉｎｋ）や、公開されたＬＶＤＳディスプレイインターフェース（ＯｐｅｎＬＤＩ）標準に使用される。ＬＶＤＳ方式の有線接続を通じて通信する場合には、有線通信部１２０は外部入力装置２００の有線ＬＶＤＳの物理的な接続状態を信号的に確認することができる。なお、有線通信部１２０は、当該信号の中でリザーブドまたは未定義のデータ部分を新規定義することにより、属性情報を交換する用途に使用することができる。
【００６２】
ＬＶＤＳを用いる場合にも、クロック信号またはその他の映像信号伝送有無をモニタリングし、プロセッサ１３０は外部入力装置２００の電源状態を確認することができる。以下では、主に有線通信部１２０がＨＤＭＩで実現されていることを前提に説明する。
【００６３】
検出回路１４０は、外部入力装置２００と接続された有線通信部１２０を介して入力される信号からクロック信号を検出することができる。検出回路１４０は、有線通信部１２０を介して受信された映像信号をスイッチングするスイッチ１４１及び受信された映像信号でクロック信号の有無を判断するクロック検出部１４３を含んでよい。例えば、スイッチ（Ｓ／Ｗ）１４１は、ＴＴＬ、Ｄｉｆｆｅｒｅｎｔｉａｌ  Ｓｉｇｎａｌ回路で実現されてよい。
【００６４】
上述の検出回路１４０の一実施形態では、クロック信号の有無のみを検出するものとして記載したが、検出回路１４０はクロック信号だけでなく、映像信号のＲＧＢデータ、Ｈ  ｓｙｎｃ、Ｖ  ｓｙｎｃ信号の有無を判断することもできる。
【００６５】
電源部１５０は、電子装置１００の各構成に電源を供給する。例えば、電源部１５０は、ＳＭＰＳ（Ｓｗｉｔｃｈｅｄ−Ｍｏｄｅ  Ｐｏｗｅｒ  Ｓｕｐｐｌｙ）で実現されてよい。ＳＭＰＳは、スイッチングレギュレータが含まれたパワーサプライのことをいう。ＳＭＰＳは、線形パワーサプライに比べて、変圧器の大きさと重さを軽減させることができるため、電子装置１００の内部回路で多く使用される。
【００６６】
電源部１５０は、電源オフ信号が受信されると、電子装置１００の一部の構成に対する電源供給を中断することができる。例えば、電源部１５０は、メインプロセッサ１３１、ディスプレイ部１６０に対する電源供給を中断することができる。そして、電源オフ信号が受信され、電子装置１００の電源モードがサスペンドモードに切り替えられた場合でも、電源部１５０はサブプロセッサ１３３、無線通信部１１０に対する電源供給を保持して外部入力装置２００の電源状態に対するモニタリング動作を行うことができるようにすることができる。
【００６７】
ディスプレイ部１６０は、電子装置１００から提供する各種映像コンテンツ、情報、ユーザインターフェース（ＵＩ）などを表示することができる。具体的に、ディスプレイ部１６０は、外部入力装置２００から提供する映像コンテンツ及び再生する映像コンテンツを選択するためのユーザインターフェースウィンドウを表示することができる。例えば、ユーザインターフェースウィンドウは、案内メッセージ、報知メッセージ、機能設定メニュー、補正設定メニュー、動作実行ボタンなどを含んでよい。
【００６８】
このようなディスプレイ部１６０は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）、ＡＭ−ＯＬＥＤ（Ａｃｔｉｖｅ−Ｍａｔｒｉｘ  Ｏｒｇａｎｉｃ  Ｌｉｇｈｔ−Ｅｍｉｔｔｉｎｇ  Ｄｉｏｄｅ)、ＰＤＰ（Ｐｌａｓｍａ  Ｄｉｓｐｌａｙ  Ｐａｎｅｌ）などのような多様な形態で実現されてよい。
【００６９】
メモリ１７０は、電子装置１００の動作に必要な各種プログラム及びデータを保存することができる。メモリ１７０は、フラッシュメモリ、ハードディスクなどの形態で実現可能である。例えば、メモリ１７０は、電子装置１００の動作実行のためのプログラムを保存するためのＲＯＭ、ディスプレイ装置１００の動作実行に係るデータを一時的に保存するためのＲＯＭなどを備えることができる。なお、各種参照データを保存するためのＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などを更に備えることができる。例えば、電子装置１００が電源オフ信号を受信してサスペンドモードに切り替えられても、揮発性メモリであるＲＡＭに供給される電源は保持されてよい。
【００７０】
映像受信部１８０は、多様なソースを通じて映像コンテンツデータを受信する。例えば、映像受信部は、外部の放送局から放送データを受信することができる。別の例として、映像受信部は、外部入力装置２００から映像データを受信するか、サーバから映像データをストリーミングすることができる。
【００７１】
映像処理部は、映像受信部から受信した映像データに対する映像処理を行う。映像処理部は、映像データに対するデコード、スケーリング、ノイズフィルタリング、フレームレート変換、解像度変換のような多様なイメージ処理を行うことができる。
【００７２】
オーディオ出力部（例えば、オーディオ出力インターフェース）は、オーディオ処理モジュールで処理した各種オーディオデータだけでなく、各種報知音や音声メッセージを出力することができる。
【００７３】
プロセッサ１４０は、電子装置１００の上述の構成を制御することができる。例えば、プロセッサ１３０は、有線通信部１２０を介して接続された外部入力装置２００の電源状態をモニタリングし、モニタリングの結果に応じて、遠隔制御装置３００に制御信号を伝送するように無線通信部１１０を制御するか否かを決定することができる。
【００７４】
図４を参照し、プロセッサ１３０の外部入力装置２００の電源状態のモニタリング動作をより具体的に説明する。
【００７５】
電子装置１００は、外部入力装置２００と有線通信部１２０とを介して接続されてよい。そして、外部入力装置２００は、有線通信部１２０を介して映像信号などを電子装置１００に伝送することができる。例えば、有線通信部１２０は、ＨＤＭＩ規格によるインターフェースであってよい。スイッチ１４１は、有線通信部１２０を介して入力された映像信号のうち、クロック信号をスイッチングしてクロック検出部１４３に伝送することができる。
【００７６】
図４の実施形態では、スイッチ１４１がクロック信号のみをスイッチングしてクロック検出部１４３に伝送するものとして説明しているが、それに限定されない。例えば、スイッチ１４１は、映像信号のＲＧＢデータ、Ｈ  ｓｙｎｃ信号、Ｖ  ｓｙｎｃ信号などをスイッチングすることができる。検出回路１４０は、スイッチングされた信号の有無を検出することができる。別の例として、検出回路１４０は、スイッチ１４１の構成なく、直ちに有線通信部１２０を介して受信された映像を用いて、クロック信号、映像信号のＲＧＢデータ、Ｈ  ｓｙｎｃ信号、Ｖ  ｓｙｎｃ信号のうち少なくとも一つを検出することができる。
【００７７】
図４の実施形態において、プロセッサ１３０は、メインプロセッサ１３１及びサブプロセッサ１３３で構成されてよい。例えば、メインプロセッサ１３１は、ＣＰＵで実現され、サブプロセッサ１３３は、マイコン（ＭＩＣＯＭ）で実現されてよい。このように、メインプロセッサ１３１とサブプロセッサ１３３が別途の構成で実現される場合、メインプロセッサ１３１及びサブプロセッサ１３３は、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）で接続されてよい。
【００７８】
サブプロセッサ１３３は、検出回路１４０から検出されたクロック信号、映像信号のＲＧＢデータ、Ｈ  ｓｙｎｃ信号、Ｖ  ｓｙｎｃ信号のうち少なくとも一つを用いて外部入力装置２００の電源状態を確認することができる。外部入力装置２００の電源がオフになった状態なら、有線通信部１２０を介して映像信号が伝送されなくなる。よって、サブプロセッサ１３３は、クロック信号の有無を通じて外部入力装置２００の電源状態を判断することができる。
【００７９】
サブプロセッサ１３３で外部入力装置２００の電源状態をモニタリングする場合、電子装置１００の電源状態によらず、モニタリング動作を継続することができる。サブプロセッサ１３３は、電子装置１００が電源オフ信号に対応してサスペンド状態に移行するとしても、電源供給が保持されるためである。
【００８０】
サブプロセッサ１３３は、遠隔制御装置３００から電源オフ信号が入力されたことに対応し、外部入力装置２００の電源状態を確認することができ、電源オフ信号入力と関係なく、周期的に外部入力装置２００の電源状態を確認することもできる。
【００８１】
電子装置１００と外部入力装置２００との電源がオン状態である場合、電子装置１００は外部入力装置２００から有線通信部１２０を介して映像信号を受信することができる。そして、映像受信部（Ｒｘ）を経て伝達された映像信号は、メインプロセッサ１３１で処理され、ディスプレイ部１６０で表示されてよい。この場合にも、サブプロセッサ１３３は、検出回路１４０を介して検出されたクロック信号などを用いて、規則的な時間間隔で外部入力装置２００の電源状態を確認することができる。
【００８２】
遠隔制御装置３００から電子装置１００の電源をオフする信号が受信すると、電子装置１００は電源状態をサスペンド状態に切り替えることができる。遠隔制御装置３００から受信される電源をオフする信号は、電子装置１００のみをオフにするようにする信号であってよく、電子装置１００及び外部入力装置２００いずれもオフするようにする信号であってよい。例えば、電子装置１００は、電源オフ信号に対応し、自分の電源状態を切り替えると同時に、有線通信部１２０を介して（例えば、ＨＤＭＩ−ＣＥＣライン）外部入力装置２００に電源オフ信号を伝送することができる。
【００８３】
電源がサスペンド状態に切り替えられた後、サブプロセッサ１３３はクロック信号、映像信号のＲＧＢデータ、Ｈ  ｓｙｎｃ信号、Ｖ  ｓｙｎｃ信号の有無を通じ、外部入力装置２００の電源状態を判断することができる。もし、外部入力装置２００の電源状態が依然としてオンなら、電源オフ信号の伝達過程における誤作動、外部入力装置２００における誤作動、ＨＤＭＩ−ＣＥＣ未対応など、多様な理由によって電源オフ動作が行われていないということである。
【００８４】
電子装置１００の電源がオフになった場合、接続された外部入力装置２００の電源も、オフになるようにするために、サブプロセッサ１３３は遠隔制御装置３００を用いて外部入力装置２００に電源オフ制御信号を再伝送することができる。
【００８５】
サブプロセッサ１３３は、直接またはメインプロセッサ１３１を介して、無線通信部１１０を制御することができる。サブプロセッサ１３３は、接続された外部入力装置の電源をオフにするようにする制御信号を遠隔制御装置３００に伝送するように無線通信部１１０を制御することができる。サブプロセッサ１３３は、電子装置１００と外部入力装置２００の電源状態が一致するまで、制御信号伝送動作を繰り返してよい。
【００８６】
理解を促すために、電子装置１００がテレビで、外部入力装置２００がセットトップボックス（ＳＴＢ）で実現された場合を例えた一実施形態を記載すると次の通りとなる。
【００８７】
遠隔制御装置３００は、ユーザの命令に対応し、テレビ１００の電源をオフする動作を行うことができる。そして、テレビ１００は、セットトップボックス２００の電源がオンかオフかをクロック信号を検知して確認することができる。もし、セットトップボックス２００の電源がオンであると確認されると、テレビ１００はブルートゥース（登録商標）バックチャネル（Ｂｌｕｅｔｏｏｔｈ（登録商標）  Ｂａｃｋ  Ｃｈａｎｎｅｌ）を通じて遠隔制御装置３００にセットトップボックス２００の電源をオフにするようにする制御命令を送信することができる。続いて、制御命令を受信した遠隔制御装置３００は、ＩＲ通信方式でセットトップボックス２００にセットトップボックス２００の電源をオフするようにする制御命令を送信することができる。
【００８８】
このような実施形態を通じ、電子装置１００と外部入力装置２００との電源を一括に制御することができる。そして、誤作動による電源オフ命令未実行を検出することができるため、統合電源制御の信頼性を向上させることができる。
図５は、本発明の一実施形態に係る電子装置１００の電源制御方法を説明するためのフローチャートである。
【００８９】
図５を参照すると、電子装置１００は遠隔制御装置３００から電源オフ信号を受信することができる（Ｓ５１０）。例えば、電源オフ信号は、電子装置１００の電源のみをオフさせる制御コードであってよく、電子装置１００及び外部入力装置２００の電源を両方オフさせる制御コードであってよい。電子装置１００は、自分の電源状態を電源オン状態から電源オフ状態（例えば、サスペンド状態）に切り替えることができる。
【００９０】
電子装置１００は、電子装置１００と有線接続された外部入力装置２００の電源をオフさせるようにする制御信号を遠隔制御装置３００に伝送することができる（Ｓ５２０）。即ち、電子装置１００は、外部入力装置２００とのパワーシンクを合わせるために、遠隔制御装置３００を電源オフ制御信号が伝送されるバイパス経路として用いることができる。
【００９１】
電子装置１００は、遠隔制御装置３００に制御信号を伝送する際、ブルートゥース（登録商標）のような双方向通信を利用するため、指向性の問題は発生しない。なお、ＩＲ通信信号は、電源をトグル（Ｏｎ／Ｏｆｆ）する信号に該当するが、ＢＴ通信信号は特定の電源状態（例えば、電源オフ）に切り替えよとの信号を含んでよい。
【００９２】
図５の実施形態では、ＨＤＭＩのような有線通信インターフェースで接続された外部入力装置２００に対する電源状態確認過程を省略している。電源状態確認過程なしに、電子装置１００は確実に外部入力装置２００の電源をオフするために、遠隔制御装置３００によって電源オフ命令を再度外部入力装置２００に伝送するようにすることができる。上述のように、ＢＴ通信のような双方向通信で電源オフ命令が外部入力装置２００に伝送されるため、再度伝達された電源オフ命令に対応して外部入力装置２００が逆に電源オンに切り替わる状況は発生しなくなる。
【００９３】
図６及び図７の実施形態において、電子装置１００は、外部入力装置２００の電源状態を確認することができる。図６及び図７の実施形態の相違点は、外部入力装置２００の電源状態を確認する時点である。
【００９４】
図６の実施形態は、ＨＤＭＩ−ＣＥＣを通じて電子装置１００が外部入力装置２００の電源を制御できる場合に、ＨＤＭＩ−ＣＥＣ伝達過程における誤作動、外部入力装置２００における誤作動を防止するのにより適してよい。そして、図７の実施形態は、ＨＤＭＩ−ＣＥＣがサポートされない外部入力装置２００に対する統合電源制御を行うのに用いられることがより適してよい。しかし、それぞれの実施形態が全ての場合に利用できることは勿論のことである。
【００９５】
図６は、本発明の一実施形態に係る電子装置１００の電源制御方法を説明するためのフローチャートである。図６を参照すると、電子装置１００は、遠隔制御装置３００から電源オフ信号を受信することができる（Ｓ６１０）。
【００９６】
受信された電源オフ信号に対応し、電子装置１００は外部入力装置２００の電源状態を確認することができる（Ｓ６２０）。例えば、電子装置１００は、外部入力装置２００と接続されたＨＤＭＩ信号の有無から外部入力装置２００の電源状態を確認することができる。電子装置１００は、自分の電源状態を電源オン状態から電源オフ状態（例えば、サスペンド状態）に切り替えることができる。または、電子装置１００は、外部入力装置２００の電源オフが確認された後、自分の電源状態をオフに切り替えることもできる。
【００９７】
もし、電子装置１００と外部入力装置２００との電源状態が一致しない場合（Ｓ６３０−Ｎ）、電子装置１００は接続された外部入力装置２００の電源をオフさせるための制御信号を遠隔制御装置３００に送信することができる（Ｓ６４０）。電子装置１００は、制御信号とともに外部入力装置２００に対する情報とともに、遠隔制御装置３００に伝送することもできる。例えば、外部入力装置２００に対する情報は、外部入力装置２００のモデル名のような機器情報、制御コードセット情報、ソース情報などであってよい。このような外部入力装置２００の情報は、遠隔制御装置３００が統合リモコン機能のために、外部入力装置２００を認識するための情報として用いられてよい。制御信号を送信した遠隔制御装置３００は、外部入力装置２００に電源オフ制御信号を伝送することができる。
【００９８】
図７は、本発明の一実施形態に係る電子装置１００の電源制御方法を説明するためのフローチャートである。図７を参照すると、電子装置１００は、遠隔制御装置３００から電源オフ信号を受信することができる（Ｓ７１０）。続いて、電子装置１００は、電子装置１００と有線接続（例えば、ＨＤＭＩインターフェースで接続）された外部入力装置２００の電源をオフさせるようにする制御信号を遠隔制御装置３００に伝送することができる（Ｓ７２０）。
【００９９】
制御信号が遠隔制御装置３００に伝送された後、電子装置１００は外部入力装置２００の電源状態を確認することができる（Ｓ７３０）。例えば、電子装置１００は、外部入力装置２００から受信されるＨＤＭＩ信号の中からクロック信号を検出することができる。そして、検出されたクロック信号が存在するかに応じて、電子装置１００は外部入力装置２００の電源状態を判断することができる。
【０１００】
もし、伝送した制御信号に応じて、外部入力装置２００の電源がオフになったなら（Ｓ７４０−Ｙ）、電子装置１００が意図した統合電源制御動作に成功したことに該当する。
【０１０１】
一方、外部入力装置２００の電源状態が電子装置１００の電源状態と一致しない場合（Ｓ７４０−Ｎ）、電子装置１００は外部入力装置２００の電源状態が電子装置１００の電源状態と一致することが確認されるまで制御信号を再伝送することができる（Ｓ７２０〜Ｓ７４０）。
【０１０２】
図８は、本発明の一実施形態に係るシステム１０００の動作を説明するためのシーケンス図である。
【０１０３】
図８を参照すると、電子装置１００は、電源状態をオン状態からオフ状態に切り替えることができる（Ｓ８１０）。例えば、電子装置１００は、遠隔制御装置３００から受信された電源オフ信号に対応して電源状態をオン状態からオフ状態に切り替えることができる。電子装置１００は、電源オフ状態に切り替わるとしても、一部の構成（例えば、サブプロセッサ、検出回路など）には電源供給を遮断しないようにし、電源オンに切り替える動作、外部入力装置２００の電源状態を確認する動作などを行うことができるようにする。
【０１０４】
続いて、電子装置１００は、遠隔制御装置３００に外部入力装置２００の電源をオフさせるようにする制御信号を伝送することができる（Ｓ８２０）。そして、遠隔制御装置３００は、外部入力装置２００に電源オフ命令に該当する制御信号を伝送することができる（Ｓ８３０）。遠隔制御装置３００は、電子装置１００から外部入力装置２００に対する情報を受信し、外部入力装置２００を制御することができる制御コードセットを決定することができる（Ｓ８３５）。
【０１０５】
電子装置１００は、外部入力装置２００から電源状態情報を入手することができる（Ｓ８４０）。例えば、電子装置１００は、外部入力装置２００で映像信号が継続して入力されるかを有線インターフェース信号検出を通して知ることができる。電子装置１００が用いる有線インターフェース信号には、クロック信号、映像信号のＲＧＢ、Ｈ  ｓｙｎｃ信号、Ｖ  ｓｙｎｃ信号などがあってよい。
【０１０６】
検出した信号に基づいて外部入力装置２００がオン状態を保持していると判断されると（Ｓ８５０−ＯＮ）、電子装置１００は遠隔制御装置３００に、外部入力装置２００に電源オフ信号を再送信するようにする制御信号を伝送することができる。
【０１０７】
このような過程を通じ、ユーザは遠隔制御装置３００の電源オフボタンを押すだけで、電子装置１００及び外部入力装置２００の電源を統合制御し、両装置が全て確実に電源オフになるようにすることができる。よって、本発明の多様な実施形態によると、統合リモコン機能を用いて相互有線接続された電子装置の統合電源制御の信頼度を向上させることができる。
【０１０８】
上記で説明された方法は、多様なコンピュータ手段を通じて行えるプログラム命令形態で実現され、コンピュータ読み取り可能な媒体に記録されてよい。上記コンピュータ読み取り可能な媒体は、プログラム命令、データファイル、データ構造などを単独または組み合わせて含んでよい。上記媒体に記録されるプログラム命令は、本発明のために特別に設計されて構成されたものか、コンピュータソフトウェア当業者に公知となって使用可能なものであってよい。コンピュータ読み取り可能な記録媒体の例としては、ハードディスク、フロッピーディスク及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−ｏｐｔｉｃａｌ  ｍｅｄｉａ）及びＲＯＭ、ＲＡＭ、フラッシュメモリなどのようなプログラム命令を保存して行うように特別に構成されたハードウェア装置が含まれる。プログラム命令の例には、コンパイラによって作られたような機械語コードだけでなく、インタープリターなどを使ってコンピュータによって実行され得る高級言語コードを含む。上記のハードウェア装置は、本発明の動作を行うために、一つ以上のソフトウェアモジュールとして作動するように構成されてよく、その逆も同様である。
【０１０９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１０】
１００  電子装置
２００  外部入力装置
３００  遠隔制御装置
１０００  システム
【図１】
2019536370.tif 000003
【図２】
2019536370.tif 000004
【図３】
2019536370.tif 000005
【図４】
2019536370.tif 000006
【図５】
2019536370.tif 000007
【図６】
2019536370.tif 000008
【図７】
2019536370.tif 000009
【図８】
2019536370.tif 000010
【国際調査報告】
2019536370.tif 000011
2019536370.tif 000012